(57)【要約】【課題】二次元コードの利用において、携帯電話によるインターネットへの接続処理を容易にし、二次元コードに情報表現力を持たせ、二次元コードに識別力と情報発信機能を最大限に発揮することにより、新たなビジネスを招来し得る携帯端末・WEBコンテンツ・リンク期限管理システム及び方法を提供する。【解決手段】識別データが埋め込まれたエンコード画像にURLを紐付けする機能と、紐付けを許諾する期間を設定する機能とを具備するサービス提供部と、エンコード画像を印刷する機能を有する画像供給部と、エンコード画像を撮像・復号化する機能を具備する携帯端末と、ＷＥＢコンテンツ提供部と、を有するシステムにおいて、サービス提供部は、携帯端末でエンコード画像を撮像・復号化して取得した識別データをサービス提供部に送信すると、受信時が期間内である場合にのみ、対応URLを携帯端末に返信する携帯端末・WEBコンテンツ・リンク期限管理システム。【選択図】図１
2007279935.tif 000002
【特許請求の範囲】
【請求項１】
画像に識別データを埋め込む機能と、前記埋め込まれた識別データに所定のＵＲＬ（以下「対応URL」ともいう）を紐付けする機能と、前記紐付けを許諾する期間（以下「許諾期間」ともいう）を設定する機能と、を具備するサービス提供部と、
前記識別データが埋め込まれた画像（以下「エンコード画像」ともいう）と前記エンコード画像に関連する情報（以下「特定関連情報」ともいう）とをセットにした画像（以下「セット画像」ともいう）を印刷する機能または表示装置に表示させるためのデータを供給する機能を具備するセット画像供給部と、
前記エンコード画像を撮像し、解読し、復号化して前記識別データを取得する機能を具備する携帯端末またはウエブカメラ機能付ＰＣ（以下「特定携帯端末等」ともいう）と、
前記対応ＵＲＬによってリンクされ、前記特定端末等にＷＥＢコンテンツを提供する機能を具備するＷＥＢコンテンツ提供部と、を有する携帯端末・WEBコンテンツ・リンク期限管理システムにおいて、
前記サービス提供部、前記セット画像供給部、前記特定携帯端末等及び前記ＷＥＢコンテンツ提供部はそれぞれインターネット接続機能を備えて、
前記サービス提供部は、前記特定携帯端末等が前記セット画像に含まれる前記エンコード画像を撮像し、解読し、復号化することによって取得した前記識別データをインターネットを介して前記サービス提供部に送信すると、受信した前記識別データに紐付けされた前記対応ＵＲＬを検索し、前記検索によって取得した前記対応URLを、前記受信した日時が前記許諾期間内である場合にのみ、前記特定携帯端末等に返信する機能を備えることを特徴とする携帯端末・WEBコンテンツ・リンク期限管理システム。
【請求項２】
前記エンコード画像はバーコードであり、前記バーコードの短辺の長さは前記特定関連情報を構成する文字の縦方向の長さと同程度であることを特徴とする請求項１に記載の携帯端末・WEBコンテンツ・リンク期限管理システム。
【請求項３】
前記エンコード画像は二次元コードであり、前記二次元コードの大きさは前記特定関連情報を構成する文字の大きさと同程度であることを特徴とする請求項１に記載の携帯端末・WEBコンテンツ・リンク期限管理システム。
【請求項４】
前記サービス提供部の前記識別データを画像に埋め込む機能は通常の画像に、人間の目では認識できない態様で識別データを埋め込むものであり、
前記エンコード画像は、通常の画像に、前記識別データが人間の目では認識できない態様で埋め込まれたものであることを特徴とする請求項１に記載の携帯端末・WEBコンテンツ・リンク期限管理システム。
【請求項５】
前記サービス提供部の前記識別データを画像に埋め込む機能は通常の画像に、電子すかし技術によって識別データを埋め込むものであり、
前記エンコード画像は、通常の画像に、前記識別データが電子すかし技術によって埋め込まれたものであることを特徴とする請求項１に記載の携帯端末・WEBコンテンツ・リンク期限管理システム。
【請求項６】
前記特定関連情報は、前記特定関連情報の中に、前記許諾期間と日時的に関連する情報を含むものであることを特徴とする請求項１乃至５に記載の携帯端末・WEBコンテンツ・リンク期限管理システム。
【請求項７】
前記識別データは、そのデータ量が２０乃至５２バイトであることを特徴とする請求項１乃至６に記載の携帯端末・WEBコンテンツ・リンク期限管理システム。
【請求項８】
特定端末等からＷＥＢコンテンツにリンクさせ、リンクを許諾する期間を管理する方法であって、
画像に識別データを埋め込む機能と、識別データに所定のＵＲＬを紐付けする機能と、前記紐付けを許諾する期間を設定する機能とを具備するサービス提供部と、
前記識別データが埋め込まれたエンコード画像と前記エンコード画像に関連する情報とをセットにした画像を印刷する機能または表示装置に表示させるためのデータを供給する機能を具備するセット画像供給部と、
前記エンコード画像を撮像し、解読して、前記識別データに復号化する機能を具備する携帯端末またはウエブカメラ機能付ＰＣと、
前記対応ＵＲＬによってリンクされ、前記特定端末等にＷＥＢコンテンツを提供する機能を具備するＷＥＢコンテンツ提供部と、を有する携帯端末・WEBコンテンツ・リンク期限管理システムにおいて、
前記サービス提供部が識別データに所定のＵＲＬを紐付けして、前記紐付けを許諾する期間を設定するステップと、
前記特定端末等が前記セット画像に含まれる前記エンコード画像を撮像し、解読し、復号化して、前記識別データを取得し、前記識別データを前記サービス提供部にインターネットを介して送信するステップと、
前記サービス提供部が前記特定端末等から送信された前記識別データを受信して、受信した前記識別データに紐も付けされたＵＲＬを検索して、前記検索によって取得した前記対応URLを前記受信した日時が前記許諾期間内である場合にのみ、前記特定携帯端末等に返信するステップと、
前記特定端末等は前記サービス提供部から受信したURLによって、インターネットを介して前記ＷＥＢコンテンツ提供部にリンクするステップと、を具備することを特徴とする特定端末等からＷＥＢコンテンツにリンクさせ、リンクを許諾する期間を管理する方法。
【請求項９】
前記エンコード画像はバーコードであり、前記バーコードの短辺の長さは前記特定関連情報を構成する文字の縦方向の長さと同程度であることを特徴とする請求項８に記載の特定端末等からＷＥＢコンテンツにリンクさせ、リンクを許諾する期間を管理する方法。
【請求項１０】
前記エンコード画像は二次元コードであり、前記二次元コードの大きさは前記特定関連情報を構成する文字の大きさと同程度であることを特徴とする請求項８に記載の特定端末等からＷＥＢコンテンツにリンクさせ、リンクを許諾する期間を管理する方法。
【請求項１１】
前記サービス提供部の前記識別データを画像に埋め込む機能は通常の画像に、人間の目では認識できない態様で識別データを埋め込むものであり、
前記エンコード画像は、通常の画像に、前記識別データが人間の目では認識できない態様で埋め込まれたものであることを特徴とする請求項８に記載の特定端末等からＷＥＢコンテンツにリンクさせ、リンクを許諾する期間を管理する方法。
【請求項１２】
前記サービス提供部の前記識別データを画像に埋め込む機能は通常の画像に、電子すかし技術によって識別データを埋め込むものであり、
前記エンコード画像は、通常の画像に、前記識別データが電子すかし技術によって埋め込まれたものであることを特徴とする請求項８に記載の特定端末等からＷＥＢコンテンツにリンクさせ、リンクを許諾する期間を管理する方法。
【請求項１３】
前記特定関連情報は、前記特定関連情報の中に、前記許諾期間と日時的に関連する情報を含むものであることを特徴とする請求項８乃至１２に記載の特定端末等からＷＥＢコンテンツにリンクさせ、リンクを許諾する期間を管理する方法。
【請求項１４】
前記識別データは、そのデータ量が２０乃至５２バイトであることを特徴とする請求項８乃至１３に記載の特定端末等からＷＥＢコンテンツにリンクさせ、リンクを許諾する期間を管理する方法
【発明の詳細な説明】
【技術分野】
【０００１】
本発明は、携帯電話等から、特定のWEBコンテンツへリンクし、また、リンクを可能とする許諾期間を管理するシステムと方法に関する。
【背景技術】
【０００２】
近年、通信技術及び半導体技術の急速な発展に伴って携帯電話の機能も著しく向上している。その結果として、最新の携帯電話は数年前のパソコン並みの能力を有しつつあり、携帯電話によってインターネットを介してWEBコンテンツにリンクし、種々のWEBコンテンツを利用することが可能となっている。また、携帯電話はパソコンよりも身近な存在であり、手軽に利用できる。
しかし、携帯電話にはキー入力用キーボード上のキーの数が少なく、WEBコンテンツにリンクするためにURLを携帯電話からキー入力することはPCのキーボードから入力するのに比較して手間がかかるという弱点がある。
係る弱点に鑑みて、携帯電話に二次元コード等を解読する機能を持たせるとともに、二次元コード等にURL情報を埋め込み、この二次元コード等を種々の広告用のチラシや、雑誌等に掲載して、図１２に示すように携帯電話によって、二次元コード等を撮像することによって、特定のWEBコンテンツへリンクできるようにするという利用形態が普及しつつある。図１２は携帯電話で二次元コード９０４を撮像している様子を示す説明図である。このように携帯端末等によって、インターネット上のWEBコンテンツへを取得することについては、文献１に開示されている。
なお、以下、「二次元コード」という用語には通常の無味感想な人間の眼では認識できない模様・図柄からなるものばかりではなく、通常の人間の目で認識できる画像に識別データが埋め込まれて、識別コードの機能を果たすものも含める。
【０００３】
しかしながら、現在、実際にこのような利用形態に係る二次元コード等が掲載された印刷物には、二次元コード等によるインターネットへの接続操作の容易化のみに重点を置かれているだけであって、二次元コード等を掲載することによる影響についての配慮がされていないものが多い。具体例につき図を参照しつつ説明する。図９は地元の観光協会の担当者が地元のお寺について情報を提供するための広告記事に、このような従来の態様による二次元コード等を使用して作成したセット画像の一例を示す図である。図９の９０４はURL情報が埋め込まれた二次元コードであり、この二次元コードを携帯電話のカメラ機能を利用して撮像することにより、詳細な情報を得ることができ、携帯電話での操作を便利なものするという効果をもたらしてはいるものの、二次元コード９０４の存在は余分なスペースを取ってしまい、この広告記事を見るものに与える情報の量を減少させ、また広告記事の美感も害している。
また、二次元コード９０４のように特殊な図柄より構成され、何らかの識別データを表示するものと感じられるようなものは、一般に、二次元コード９０４の中の特殊な図柄が多少相違しても人間の目ではその相違を見分けられないという弱点を有する。さらに、人間が、二次元コード９０４のようなコードを見た場合、何らかの識別データを有するものだということはわかるものの、どのような識別データを表しているということについては認識できない。また、何に関連する識別データであるかということも、二次元コード９０４の周辺に存在する情報から予想できる程度にしかわからないという点がある。すなわち、二次元コード９０４のようなコードは、自他を区別しうる自他識別力も、コード自体が何かを表現するといった情報表現力も具備していない。
そのために、このような自他識別力を有さないコードはコード単独で放置すると、迷子状態になってしまい、コード管理が困難で、識別力を有する文章または画像等と一対にしておく必要があり、取り扱いに注意が必要である。
また、別の問題としては、印刷物に記載された二次元コード等が単にURL情報を含むだけで、何らの管理もなされていないと、コードが重複したり、一旦印刷された二次元コード等が悪戯によって張り替えられ無関係なWEBコンテンツへリンクするURLを埋め込まれて、一般の利用者が実際に、該二次元コード等を撮像して、リンク操作を行ったときに、利用者が予期しないWEBコンテンツへリンクさせられてしまうといった危険性もある。例えば、図９において、二次元コード９０４に、この地元のお寺とは関係のないWEBコンテンツのURLを埋め込み、利用者がこの紹介記事を信じて、お寺に関する詳細な情報を得ようとして、二次元コード９０４を携帯電話で撮像すると、予期せぬWEBコンテンツへリンクされてしまうといった具合である。
一方、無味乾燥な二次元コードを使用する方法とは別の方法として、美感を生じさせうる画像を携帯電話で撮像させ、画像データを特定のサーバへ送信し、受信したサーバが画像データを解読して、特定の識別データに復号化するような利用形態もある。
しかし、係る利用形態の場合には、携帯電話で、大量の画像データを送信することになってしまうという問題点がある。例えば、図９の二次元コード９０４に代えて図１３の画像１３０４を携帯電話で撮像して、該画像１３０４を表す画像データそのものを携帯電話で特定のサーバへ送信すると、送信対象である画像データは相当に大量なものとなってしまう。
【０００４】
【特許文献１】特開  ２００５−３４１３６９
【発明の開示】
【発明が解決しようとする課題】
【０００５】
そこで、本発明では、二次元コード等の利用において、単に携帯電話によるインターネットへの接続操作を容易にするだけではなく、二次元コード等自体に情報表現力を持たせ、二次元コード等とWEBコンテンツとを融合させ、二次元コード等自体に識別力と情報表現力を最大限に発揮させることにより、種々の新たなビジネスを招来し得る携帯端末・WEBコンテンツ・リンク期限管理システム及び方法を提供することを目的とする。
【課題を解決するための手段】
【０００６】
係る目的を達成するため、二次元コード等自体に情報表現力を持たせるべく、二次元コードの外観は、通常の画像とし、該通常の画像に識別データを人間の目には認識できないような態様で埋め込んむことが有効である。
また、二次元コード等に無味乾燥な識別力を有しないものを採用する場合には、少なくとも、二次元コード等の外観が印刷物の美感を害しないようにするために、二次元コード等の大きさを、印刷物に記載された文字と同程度の大きさにすることが必要である。
さらに、二次元コード等の効率的な活用と、携帯端末費用の低減と、操作の迅速化とを図り、さらに、印刷物に記載された二次元コード等と所定のWEBコンテンツへのリンク関係を管理された状態に維持するためには、印刷物に記載された二次元コード等とリンク先のURLとを紐付けして、所定のWEBコンテンツに正しくリンクさせ、また、必要な場合にはリンクを解除することが必要である。
【０００７】
そこで、係る知見に基づいて、
請求項１に記載の発明は、識別データが埋め込まれた画像（以下「エンコード画像」ともいう）を撮像して、解読し、識別データに復号化する機能を具備する携帯端末またはウエブカメラ機能付ＰＣ（以下「特定携帯端末等」ともいう）から、特定のWEBコンテンツにリンクさせる携帯端末・WEBコンテンツ・リンク期限管理システムであって、
画像に識別データを埋め込む機能と、前記埋め込まれた識別データに所定のＵＲＬ（以下「対応URL」ともいう）を紐付けする機能と、前記紐付けを許諾する期間（以下「許諾期間」ともいう）を設定する機能を具備するサービス提供部と、
前記エンコード画像と前記エンコード画像に関連する情報（以下「特定関連情報」ともいう）とをセットにした画像（以下「セット画像」ともいう）を印刷する機能または表示装置に表示させるためのデータを供給する機能を具備するセット画像供給部と、
前記特定携帯端末等と、
前記対応ＵＲＬによってリンクされ、前記特定端末等に所定のＷＥＢコンテンツを提供する機能を具備するＷＥＢコンテンツ提供部と、を有する携帯端末・WEBコンテンツ・リンク期限管理システムにおいて、
前記サービス提供部、前記セット画像作成部、前記特定携帯端末等及び前記ＷＥＢコンテンツ提供部はそれぞれインターネット接続機能を備えて、
前記サービス提供部は、前記特定携帯端末等が前記セット画像に含まれる前記エンコード画像を撮像し、解読して、復号化することによって取得した前記識別データをインターネットを介して前記サービス提供部に送信すると、受信した前記識別データに紐付けされた前記対応ＵＲＬを検索し、前記検索によって取得した前記対応URLを、前記受信した日時が前記許諾期間内である場合にのみ、前記特定携帯端末等に返信する機能を備えることを特徴とする。
【０００８】
請求項２に記載の発明は、請求項１に記載の携帯端末・WEBコンテンツ・リンク期限管理システムに係り、
前記エンコード画像はバーコードであり、前記バーコードの短辺の長さは前記特定関連情報を構成する文字の高さと同程度であることを特徴とする。エンコード画像としてすでに普及しているバーコードを活用するとともに、印刷物への美感的影響を考慮したものである。
【０００９】
請求項３に記載の発明は、請求項１に記載の携帯端末・WEBコンテンツ・リンク期限管理システムに係り、
前記エンコード画像は二次元コードであり、前記二次元コードの大きさは前記特定関連情報を構成する文字の大きさと同程度であることを特徴とする。エンコード画像としてすでに普及している二次元バーコードを活用するとともに、印刷物への美感的影響を考慮したものである。
【００１０】
請求項４に記載の発明は、請求項１に記載の携帯端末・WEBコンテンツ・リンク期限管理システムに係り、
前記サービス提供部の前記識別データを画像に埋め込む機能は通常の画像に、人間の目では認識できない態様で識別データを埋め込むものであり、
前記エンコード画像は、通常の画像に、前記識別データが人間の目では認識できない態様で埋め込まれたものであることを特徴とする。エンコード画像自体に情報発信力と自他識別力を持たせたものである。
【００１１】
請求項５に記載の発明は、請求項１に記載の携帯端末・WEBコンテンツ・リンク期限管理システムに係り、
前記サービス提供部の前記識別データを画像に埋め込む機能は通常の画像に、電子すかし技術によって識別データを埋め込むものであり、
前記エンコード画像は、通常の画像に、前記識別データが電子すかし技術によって埋め込まれたものであることを特徴とする。エンコード画像自体に情報発信力と自他識別力を持たせたものである。
【００１２】
請求項６に記載の発明は、請求項１に記載の携帯端末・WEBコンテンツ・リンク期限管理システムに係り、
前記特定関連情報は、前記特定関連情報の中に、前記許諾期間と日時的に関連する情報を含むものであることを特徴とする。特定関連情報に含まれる期限情報とリンク許諾期間とを関連させて携帯端末・WEBコンテンツ・リンク期限管理システムの有効利用を図ったものである。
【００１３】
請求項７に記載の発明は、請求項１に記載の携帯端末・WEBコンテンツ・リンク期限管理システムに係り、
前記識別データは、そのデータ量が２０乃至５２バイトであることを特徴とする。識別データのデータサイズを所定のサイズ内のものにすることにより、携帯電話による操作の迅速化と通信費用の低減を図っている。
【００１４】
請求項８に記載の発明は、特定端末等からＷＥＢコンテンツにリンクさせ、リンクを許諾する期間を管理する方法に係り、
画像に識別データを埋め込む機能と、識別データに所定のＵＲＬを紐付けする機能と、前記紐付けを許諾する期間を設定する機能とを具備するサービス提供部と、
前記識別データが埋め込まれた画像と前記エンコード画像に関連する情報とをセットにした画像を印刷する機能または表示装置に表示させるためのデータを供給する機能を具備するセット画像供給部と、
前記エンコード画像を撮像し、解読して、前記識別データに復号化する機能を具備する携帯端末またはウエブカメラ機能付ＰＣと、
前記対応ＵＲＬによってリンクされ、前記特定端末等にＷＥＢコンテンツを提供する機能を具備するＷＥＢコンテンツ提供部と、を有する携帯端末・WEBコンテンツ・リンク期限管理システムにおいて、
前記サービス提供部が識別データに所定のＵＲＬを紐付けして、前記紐付けを許諾する期間を設定するステップと、
前記特定端末等が前記セット画像に含まれる前記エンコード画像を撮像し、解読し、復号化して、前記識別データを取得し、前記識別データを前記サービス提供部にインターネットを介して送信するステップと、
前記サービス提供部が前記特定端末等から送信された前記識別データを受信して、受信した前記識別データに紐も付けされたＵＲＬを検索して、前記検索によって取得した前記対応URLを前記受信した日時が前記許諾期間内である場合にのみ、前記特定携帯端末等に返信するステップと、
前記特定端末等は前記サービス提供部から受信したURLによって、インターネットを介して前記ＷＥＢコンテンツ提供部にリンクするステップと、を具備することを特徴とする。
【００１５】
請求項９に記載の発明は、請求項８に記載の特定端末等からＷＥＢコンテンツにリンクさせ、リンクを許諾する期間を管理する方法に係り、
前記エンコード画像はバーコードであり、前記バーコードの短辺の長さは前記特定関連情報を構成する文字の高さと同程度であることを特徴とする
【００１６】
請求項１０に記載の発明は、請求項８に記載の特定端末等からＷＥＢコンテンツにリンクさせ、リンクを許諾する期間を管理する方法に係り、
前記エンコード画像は二次元コードであり、前記二次元コードの大きさは前記特定関連情報を構成する文字の大きさと同程度であることを特徴とする。
【００１７】
請求項１１に記載の発明は、請求項８に記載の特定端末等からＷＥＢコンテンツにリンクさせ、リンクを許諾する期間を管理する方法に係り、
前記サービス提供部の前記識別データを画像に埋め込む機能は通常の画像に、人間の目では認識できない態様で識別データを埋め込むものであり、
前記エンコード画像は、通常の画像に、前記識別データが人間の目では認識できない態様で埋め込まれたものであることを特徴とする。
【００１８】
請求項１２に記載の発明は、請求項８に記載の特定端末等からＷＥＢコンテンツにリンクさせ、リンクを許諾する期間を管理する方法に係り、
前記サービス提供部の前記識別データを画像に埋め込む機能は通常の画像に、電子すかし技術によって識別データを埋め込むものであり、
前記エンコード画像は、通常の画像に、前記識別データが電子すかし技術によって埋め込まれたものであることを特徴とする。
【００１９】
請求項１３に記載の発明は、請求項８乃至１２に記載の特定端末等からＷＥＢコンテンツにリンクさせ、リンクを許諾する期間を管理する方法に係り、
前記特定関連情報は、前記特定関連情報の中に、前記許諾期間と日時的に関連する情報を含むものであることを特徴とする。
【００２０】
請求項１４に記載の発明は、請求項８乃至１３に記載の特定端末等からＷＥＢコンテンツにリンクさせ、リンクを許諾する期間を管理する方法に係り、
前記識別データは、そのデータ量が２０乃至５２バイトであることを特徴とする。
【発明の効果】
【００２１】
請求項１に記載の発明によれば、識別データとしてデータサイズの小さいものを使用しても、当該識別データによっては表現できないほど文字列の長いURLを持つWEBコンテンツにリンクさせることが可能となる。例えば、識別データのデータサイズが２０バイトであり、あるWEBコンテンツのURLが３０文字の文字列である場合には、該識別データによって、該URLを直接表現することはできない。しかし、識別データにURLを紐付けする場合には２０バイトの識別データに３０文字の文字列よりなるURLを紐付けすれば、２０バイトの識別データが埋め込まれたエンコード画像によって、３０文字からなるURLを有するWEBコンテンツへリンクさせることができる。
【００２２】
よって、携帯電話は、データ処理能力がパソコンより低いためにデータの送信に時間を要してしまうが、データサイズを小さくすることにより、送信時間の短縮ができ、結果として、通信費の低減ができるとともに、操作性も改善できる。
【００２３】
また、識別データに紐付けされるURLを管理することにより、リンク先データが改竄されて、利用者がエンコード画像を撮像すると、予期せぬWEBコンテンツへリンクさせられてしまうといった問題を防止できる。
【００２４】
請求項２に記載の発明によれば、すでに普及しているバーコードを活用しつつセット画像に与える美感的悪影響を最小限に抑えることができ、セット画像が発揮する広告・宣伝効果を高められる。また、請求項１に記載の効果も得られる。
【００２５】
具体的に説明する。図１５は請求項２に記載の発明に係るセット画像の一例を示す図である。図９は従来の態様に係るセット画像である。図１５におけるセット画像１５００を図９におけるセット画像と比較すると、図９の従来の態様のセット画像９００におけるエンコード画像９０４は、違和感を生じさせているのに比較して、請求項２に記載の発明に係るセット画像１５００におけるエンコード画像１５０４は特例関連情報１５０５に調和し、セット画像１５００の中に溶け込んでおり、違和感は少ない。その結果、請求項２に記載の発明に係るセット画像１５００は従来の態様のセット画像９００よりも、人間に与える美感が大きく、より大きな広告・宣伝効果を発揮し得るという効果が得られる。
【００２６】
請求項３に記載の発明によれば、すでに良く普及している二次元コードを活用しつつセット画像に与える美感的悪影響を最小限に抑えることができ、セット画像が発揮する広告・宣伝効果を従来の態様のものより高められる。また、請求項１に記載の効果も得られる。
【００２７】
具体的に説明する。図１６は請求項３に記載の発明に係るセット画像の一例を示す図である。図９は従来の態様に係るセット画像である。図１６におけるセット画像１６００を図９におけるセット画像と比較すると、セット画像９００におけるエンコード画像９０４は、セット画像９００において違和感を生じさせているのに比較して、セット画像１６００におけるエンコード画像１６０４は特例関連情報１６０５の一部のように見え、相対的に、セット画像１６００の中に溶け込んでおり、違和感は少ない。その結果請求項３に記載の発明に係るセット画像１６００は従来の態様のセット画像９００より、人間に与える美感が大きく、より大きな広告・宣伝機能を発揮し得るという効果が得られる。
【００２８】
請求項４に記載の発明によれば、識別データを自然な画像の中に人間の目では認識できない態様で埋め込むことにより、セット画像の広告・宣伝効果を最大限に高められる。また、請求項１に記載の効果も得られる。
【００２９】
具体的に説明する。図１０は請求項４に記載の発明に係るセット画像の一例を示す図である。図９は従来の態様に係るセット画像である。図１０におけるセット画像１０００を図９におけるセット画像と比較すると、セット画像９００における従来の態様のエンコード画像９０４は、セット画像９００において違和感を生じさせているのに比較して、セット画像１０００における請求項４に記載の発明に係るエンコード画像１００４の外観は自然な画像であり、特例関連情報１００５と調和して、セット画像１０００の中に溶け込んでおり、違和感は全く無い、その結果請求項４に記載の発明に係るセット画像１０００は従来の態様のセット画像９００より、人間に与える美感が大きく、より大きな広告・宣伝機能を発揮し得るという効果が得られる。
さらに、より大きな効果としては、従来の態様のエンコード画像９０４は人間の目に何かコードが埋め込まれているであろうという情報しか伝えないのに対して、請求項４に記載の発明に係るエンコード画像１００４は人間の目に「お寺の絵」として認識され、特定関連情報の一部である仏像１００７がこのお寺に安置されているものであろうとの情報を伝える。また、この「お寺」の画像自体も、人間の好奇心を喚起し、携帯電話で撮像して、より詳しい情報を得たいという気持ちを起こさせる。さらに、従来の態様のエンコード画像９０４は自他識別力が無く、該コードが単独で放置されると、何に関連するコードであったかを判別するのが困難であるのに対して、エンコード画像１００４は自他識別力を有しており、該コードが単独で放置されても、お寺に関連するコードであり、仏像１００７に関連するコードであったということを判別し易く、コードの管理が容易である。
【００３０】
また、同じように自然な画像そのものを利用した従来の態様に比較して、携帯電話等における通信費用の低減による効果も得られる。具体的に説明をする。図１３は、携帯電話で、画像１３０４を携帯電話で撮像している様子を示す説明図である。従来の方法では、画像１３０４に関する画像データそのものを送信していた。そして、画像データを受信したサーバ側で画像データを解読して、関連する情報に紐付けしていた。しかし、この方法では、画像データは文字データに比較して、飛躍的にそのサイズが大きく、データ送信に費用と時間を要してしまっていた。この点、請求項４に係る発明では、携帯電話によって、エンコード画像を撮像した後に、携帯電話の中で、画像データを解読し、復号して、データサイズの小さな識別データを取得し、該データサイズの小さな識別データを送信しているので、送信に要する費用も時間も低減できる。
【００３１】
一般に、携帯電話における料金体系は、送信したデータの量に依存する場合が多く、
送信データサイズが大きいということは、利用者に費用と時間がかかることを予想させてしまい、結果として、利用者の撮像して、リンクしようとする意欲を阻害してしまう。この点、請求項４に係る発明によれば、むしろ、撮像して、リンクしようとする意欲をわかせる。
【００３２】
請求項５に記載の発明によれば、識別データを自然な画像の中に電子透かし手段によって、埋め込むことにより請求項４に記載の発明と同様な効果が得られる。
【００３３】
請求項６に記載の発明によれば、請求項1乃至５に記載の発明による効果に加えて、一定の期限内に特定電話による特定WEBコンテンツへの利用者からのリンクを促進することができる。図を参照しつつ説明する。
図１４は、請求項６に記載の発明に係るセット画像の一例を示す図である。図１４の特定関連情報１４０３の中に、特定の期限内にWEBコンテンツへリンクすれば、通常の期間内の販売価格より安く、特定の製品を購入できるとの記載を入れておいて、許諾期間を特定関連情報１４０３の中に記載された特定の期限と同じように設定しておけば、期限内にリンクしてきた利用者に対しては自動的にリンクを許諾し、期限外であれば、自動的にリンクを許諾しないという管理が可能となり、処理コストの低減が可能となるとともに、利用者にリンクしようという気持ちを生じさせる効果が得られる。
【００３４】
請求項７に記載の発明によれば、請求項1乃至６に記載の発明による効果に加えて、識別データを小さなデータサイズのものにすることにより、携帯電話等からの送信時間を短縮でき、通信費の低減とともに、操作性を改善でき、セット画像の有する広告宣伝機能をより高めることが可能となる。具体的に追加説明をする。図１３は、携帯電話で、識別データが人間の目には認識できない態様で埋め込まれたエンコード画像を携帯電話で撮像している様子を示す説明図である。従来の方法では、図１３においるエンコード画像１３０４に関する画像データそのものを送信していた。この場合には、画像データは文字データに比較して、飛躍的にそのサイズが大きく、データ送信に費用と時間を要してしまう。
【００３５】
この場合、携帯電話における料金体系は、送信したデータの量に依存する場合が多く、
送信データサイズが大きいということは、利用者に撮像して、リンクしようとする意欲を阻害してしまう。この点、エンコード画像を撮像した後に、携帯電話の中で、画像データを解読し、復号して、データサイズの小さな識別データを取得し、該データサイズの小さな識別データを送信すれば、送信コストも送信時間を低減でき、利用者に撮像して、リンクしようとする意欲を阻害してしまうことはなく、むしろ、撮像して、リンクしようとする意欲をわかせる。
【００３６】
請求項８に記載の発明によれば、請求項1と同様の効果を得られる。
【００３７】
請求項９に記載の発明によれば、請求項２と同様の効果を得られる。
【００３８】
請求項１０に記載の発明によれば、請求項３と同様の効果を得られる。
【００３９】
請求項１１に記載の発明によれば、請求項４と同様の効果を得られる。
【００４０】
請求項１２に記載の発明によれば、請求項５と同様の効果を得られる。
【００４１】
請求項１３に記載の発明によれば、請求項６と同様の効果を得られる。
【００４２】
請求項１４に記載の発明によれば、請求項７と同様の効果を得られる。
【発明を実施するための最良の形態】
【００４３】
以下、図を参照しつつ、発明を実施するための最良の形態につき説明する。
【００４４】
（実施の形態１）
図１は実施の形態１に係る携帯端末・WEBコンテンツ・リンク期限管理システムの概略を示すブロック図である。
実施の形態１は、エンコード画像が、一般の画像に識別データが人間の目では認識できない態様で埋め込まれたものである場合についての実施形態である。
該システムの主要な構成要素には、サービス提供部１０２と、セット画像供給部１０３と、WEBコンテンツ提供部１０１と、サービス利用部１０４と、がある。これら主要な部はすべて、インターネット１１７への接続機能を有している。
ここで、携帯端末・WEBコンテンツ・リンク期限管理システムにおける一般的なビジネス態様について、説明すると、携帯端末・WEBコンテンツ・リンク期限管理システムの運営者はサービス提供部１０２であり、該サービス提供部１０２の直接的なお客様がセット画像供給部１０３であり、この部は例えば、各種の印刷会社や、地域広告情報についてのチラシ等を発行しているような出版社等が該当する。セット画像供給部１０３の直接的なお客様はWEBコンテンツ提供部１０１であり、例えば、地域広告情報についてのチラシ等を発行しているような出版社に広告の掲載を依頼しているレストランである。
また、WEBコンテンツ提供部１０１のお客様はサービス利用部１０４であり、不特定多数の一般利用者である。ただし、以上は一般的なビジネス態様の例であって、これに限定されるものではない。
【００４５】
以下、処理の流れに従って、各構成要素部の機能について説明する。
【００４６】
最初に、識別データを画像に埋め込む処理を説明しながら、セット画像供給部１０３とサービス提供部１０２の機能について説明する。該埋め込み処理はセット画像供給部１０３からサービス提供部１０２にログインしてセット画像供給部１０３とサービス提供部１０２との連携作業によって実施されるからである。
【００４７】
先ず、セット画像供給部１０３について説明する。セット画像供給部１０３の主な構成要素は、画像準備用端末１１４と、ICカードリーダ１１５と、ICカード１１６と、印刷機１１３である。このセット画像供給部１０３の主たる機能は、特定携帯端末等１１２に撮像させるエンコード画像を含んだセット画像を印刷物１１８として、又は画像データとして、一般表示端末１１９に供給することである。この機能について、図１と図２を参照しつつ説明する。
【００４８】
図２は、セット画像供給部１０３からサービス提供部にログインして行う画像のエンコード処理とセット画像の印刷処理を示すフローチャートである。
【００４９】
先ず、セット画像供給部１０３は、特定のWEBコンテンツにリンクさせるために識別データを埋め込む対象とする画像を選択する（ステップS２０１）。なお、この画像はお客様であるWEBコンテンツ提供部１０１から送られてくる。
【００５０】
次に、この画像が識別データを埋め込むことが可能な画像であるか否かを判別する（ステップS２０２）。該画像の画像データが大き過ぎたり、所定の形式でなかったりする場合には、識別データを埋め込めないからである。画像が大き過ぎたり、所定の形式でなかったりする場合には、圧縮したり、データの形式を変更したりして、識別データを埋め込むことが可能な画像データにする（ステップS２１０）。そして、エンコードが可能な画像データを準備できたら、サービス提供部に画像準備用端末１１４によってインターネットを介してログインする（ステップS２０３）。ログインするためには、所定のICカード１１６をICカードリーダ１１５に入れる。このサービス提供部１０２のサービスを受けられる者を所定の者に制限するためである。
【００５１】
ログインができたら、識別データを埋め込むべき画像をサービス提供部１０２のエンコード受付サーバ１１０にアップロードする（ステップS２０４）。
【００５２】
次に、サービス提供部１０２からエンコード処理完了の通知がきたらエンコード画像をダウンロードする（ステップS２０５）。
【００５３】
そして、該エンコード画像と、該エンコード画像に埋め込まれた識別データによってリンクするWEBコンテンツに関する関連情報を有効な広告・宣伝効果が得られるような態様に配置したセット画像を作成し（ステップS２０６）、印刷物または画像データとして一般利用者に向けて配布又は配信する（ステップS２０７）。図１に基づいて説明すると、図１の１１８がセット画像掲載印刷物であり、該セット画像掲載印刷物は、例えば、新聞に折りこまれるチラシや雑誌の広告が該当する。また、紙に印刷するのではなく、種々の一般表示端末１１９において、セット画像が表示することを可能にするべく画像を画像データとして、配信する場合もある。たとえば、インターネット上のポータルサイトの広告として表示するような場合が該当する。
なお、セット画像を作成するときは、場合によっては、利用者がそのセット画像を見ても、どの画像に識別データが埋め込まれているか判断できないような場合には、必要に応じて、該エンコード画像には識別データが埋め込まれていることを示す記号等を該エンコード画像の近辺に付する。例えば、図１０における文字記号１００９がこの例に該当する。
【００５４】
次に、エンコード処理に関するサービス提供部１０２の処理と機能について説明する。サービス提供部１０２はこの携帯端末・WEBコンテンツ・リンク期限管理システムの運営者であって、該運営者のお客様である画像供給部１０３からアップロードされた画像に所定の識別データを人間が認識できない態様で埋め込む。以下、図を参照しつつ説明する。
【００５５】
図３は、サービス提供部１０２において、通常の画像に識別データを人間の目には認識できない態様で埋め込むと言うエンコード処理を示すフローチャートである。
【００５６】
先ず、サービス提供部１０２のエンコード受付サーバ１１０はセット画像供給部１０３からのログインに対して、ログインに使用されたICカード１１６が所定のものであるかどうか等を検査して、ログインの認証を行う（ステップS３01）。ログイン認証を行うのは、画像をエンコードするというサービスを所定の者に制限するためである。よって、必要に応じて、ICカード１１６の代わりに又は、ICカード１１６に加えて所謂ワンタイム・パスワードを使用してもよい。
次に、セット画像供給部１０３からアップロードされたエンコード前の画像を受信してエンコード待ち画像ファイル３１０に格納する（ステップS３０２）。次に、所定の時間間隔のバッチジョブで、エンコードサーバ１０９がエンコード待ち画像ファイル３１０に格納されている画像を呼び込み、識別データを人間の目には認識できない態様で埋め込む（ステップS３０３）。ここで、同じ識別データを重複して他の画像には埋め込まない。ただし、過去に埋め込んだ識別データであっても、許諾期間を過ぎている該識別データについては、該識別データを新たな画像に埋め込んで再利用する。携帯電話等の送受信費・送受信時間を低減化するという観点からは、識別データのデータサイズを小さくすることが必要である。しかし、識別データのデータサイズを小さくすると、該識別データによって紐付けできるURLの数が減ってしまう。そこで、該識別データを再利用して、携帯端末によって送受信するデータサイズを小さくするとともに、できる限り多くのURLに紐付けするためである。
エンコード処理がされた画像はディレクトリに保管する（ステップS３０４）。そして、エンコード処理を完了したことをセット画像供給部１０３に電子メールによって通知する（ステップS３０５）。
次に、エンコード画像に名前を与え、該画像の名前と、埋め込んだ識別データと、当該エンコード処理の要求元の会社名等をエンコード画像情報データベース３１２に登録する（ステップS３０６）。
【００５７】
図８は該エンコード画像情報データベース３１２内に登録されたデータ構成の例を示す表である。
【００５８】
エンコード対象の画像を受信して、識別データを該画像に埋め込む処理が完了した場合には、該画像に名前をつけて画像名として表８００の画像名欄８０２に登録する。本例の場合には画像名は「お寺０１」である。また、該識別データを表８００の識別データ欄８０３に登録する。本例の場合には識別データは「１１００１」である。
【００５９】
次に、エンコード画像に埋め込まれた識別データによってリンクさせたいURLを割り当てる処理について説明する。
この、エンコード画像に埋め込まれた識別データによってリンクさせたいURLを割り当てる処理は、画像供給部１０３が、画像供給部１０３のお客様であるWEBコンテンツ提供部１０１から受け取った情報に基づいて、サービス提供部１０２にログインして行う。
【００６０】
図４は、画像供給部１０３からサービス提供部１０２にログインして、エンコード画像に特定URLを割り当てる処理を示すフローチャートである。
【００６１】
先ず、画像供給部１０３の画像準備用端末１１４から、サービス提供部１０２にログインする（ステップS４０１）。そして、特定URLにリンクさせたいエンコード画像を画像準備用端末１１４の表示装置に表示する（ステップS４０２）。次に、該エンコード画像に埋め込まれた識別データをエンコード画像情報データベース３１２を検索して取得する（ステップS４０３）。そして、該識別データに所定のURLを割り当てる（ステップS４０４）。具体的な操作としては、例えば、エンコード画像名が「お寺０１」のものを検索すると、図８の表８００が画像準備用端末１１４に表示されるので、リンクさせたいURLを図８のリンク先URL欄８０４に入力する。
【００６２】
次に、該エンコード画像に割り当てられた情報データによって所定のWEBコンテンツへリンクすることを許諾する許諾期間を定める（ステップS４０５）。
【００６３】
次に、ステップS４０４で割り当てたURLと、ステップS４０５で定めた許諾期間に基づいてエンコード画像情報データベース３１を更新する。これも、具体的な操作としては、図８の表８００の許諾開始日時欄８０５に許諾を開始する日時を、許諾終了日時欄８０６に許諾を終了する日時を入力する。
【００６４】
次に、コンテンツ提供部１０１がエンコード対象画像、対応URL及び許諾期間を画像供給部１０３に対して送るという処理について説明する。
【００６５】
図５は、コンテンツ提供部１０１が、エンコード対象画像５０４と、該画像によってリンクさせたいWEBコンテンツのURL５０２と、リンクを許諾する許諾期間５０３を定めて、それらを画像供給部１０３に対して送るという処理を示すフローチャートである。
【００６６】
先ず、識別データを埋め込むべき画像を選択する（ステップS５０１）。
【００６７】
次に、該画像に埋め込む識別データによってリンクさせたいWEBコンテンツを選択して、そのURLを該識別データに割り当てる（ステップS５０２）。
【００６８】
そして、該識別データによるリンクを許諾する許諾期間を定める（ステップS５０３）。
【００６９】
次に、エンコード対象画像５０４と、URL５０２と、許諾期間５０３とを画像供給部１０３に電子メール等によって送る（ステップS５０４）。これは、郵送等によってもよい。
【００７０】
そして、一般利用者であるサービス利用部が特定携帯端末を使用して、WEBコンテンツにリンクできるようにWEBコンテンツ５０１を準備しておく（ステップS５０５）。
【００７１】
次に、サービス利用部１０４における処理を説明する。サービス利用部１０４は所謂一般利用者が携帯電話に代表される特定携帯端末１１２を利用して、特定のWEBコンテンツへリンクするものである。
【００７２】
図６は、サービス利用部１０４における処理を示すフローチャートである。
【００７３】
先ず、一般利用者は、新聞の折込広告や、各種の雑誌に掲載されたセット画像掲載印刷物１１８または、一般表示端末１１９に表示されたセット画像の中のエンコード画像を撮像する（ステップS６０１）。
【００７４】
次に、該撮像したエンコード画像を解読し、復号化して、識別データを取得する（ステップS６０２）。ここでの解読と復号化を可能とするために、特定携帯端末１１２は撮像機能を有するものであって、解読と復号化の機能を実現するためのプログラムが導入されている。
【００７５】
そして、取得した識別データをサービス提供部１０２のWEBリンクサーバ１０８に送信する（ステップS６０３）。
【００７６】
次に、識別データに対応するURLが返信されてきたら、該URLのWEBコンテンツにリンクする（ステップS６０４）。なお、ステップS６０２からステップS６０４までは、特定携帯端末等１１２に内臓されているプログラムが一連の処理として、瞬時に行ってしまうので、一般利用者は特定携帯端末等１１２によって、エンコード画像を撮像（ステップS６０１）すれば、すぐに、特定WEBコンテンツにリンクしてしまうというような感覚となる。
【００７７】
次に、サービス利用部１０４である一般利用者が特定携帯端末１１２を利用して、特定WEBコンテンツへリンクする処理に対応してサービス提供部１０２が行う処理について説明する。
【００７８】
図７は、サービス利用部１０４である一般利用者が特定携帯端末１１２を利用して、特定WEBコンテンツへリンクする処理に対応してサービス提供部１０２が行う処理を示すフローチャートである。
【００７９】
先ず、一般利用者が特定携帯端末１１２によって、エンコード画像を撮像して取得した識別データをサービス提供部１０２に送信してきたときには、該識別データを受信する（ステップS７０１）。
【００８０】
次に、識別データに対応するURLをエンコード画像情報データベース３１２を検索して、取得し、さらに、該URLにリンクすることを許諾する許諾期間も取得する（ステップS７０２）。
【００８１】
そして、該識別データを受信した日時が許諾期間内か否かを判断する（ステップS７０３）。
【００８２】
次に、許諾期間内であれば、取得した該URLを携帯端末等１１２に送信する（ステップS７０４）。
（実施の形態１の効果）
本実施に携帯に係る携帯端末・WEBコンテンツ・リンク期限管理システム又は方法によれば、セット画像を人間の美感に訴える力を大きなものにすることができ、セット画像を掲載したチラシ等の印刷物の広告・宣伝機能を高めることができる。図１０は請求項４に記載された発明に係るセット画像の一例を示す図であるとともに、実施の形態１に係るセット画像の一例を示す図である。識別データはエンコード画像１００４に埋め込まれているが人間の目では認識できない。その結果として、セット画像１０００は人間の美感に訴える力が、従来のセット画像の一例を示す図である図９のセット画像９００より強い。
さらに、より大きな効果としては、従来の態様のエンコード画像９０４は人間の目に何かコードが埋め込まれているであろうという情報しか伝えないのに対して、実施の形態１に係るエンコード画像１００４は人間の目に「お寺の絵」として認識され、特定関連情報の一部である仏像１００７がこのお寺に安置されているものであろうとの情報を伝える。また、この「お寺」の画像自体も、人間の好奇心を喚起し、携帯電話で撮像して、より詳しい情報を得たいという気持ちを起こさせる。さらに、従来の態様のエンコード画像９０４は自他識別力が無く、該コードが単独で放置されると、何に関連するコードであったかを判別するのが困難であるのに対して、エンコード画像１００４は自他識別力を有しており、該コードが単独で放置されても、お寺に関連するコードであり、仏像１００７に関連するコードであったということを判別し易く、コードの管理が容易である。
また、同じように自然な画像そのものを利用した従来の態様に比較して、携帯電話等における通信費用の低減による効果も得られる。
なお、場合によっては、利用者がそのセット画像を見ても、どの画像に識別データが埋め込まれているか判断できないような場合には、必要に応じて、該エンコード画像には識別データが埋め込まれていることを示す記号等を該エンコード画像の近辺に付する。例えば、図１０における文字記号１００９がこの例に該当する。
【００８３】
また、識別データに特定のURLを紐付けすることにより、データサイズの小さな識別データによって通常はそのようにデータサイズの小さな識別データでは表わせないURLへもリンクできる。また、識別データのデータサイズが小さいことにより、データ処理能力の限られる携帯端末等でも、迅速に送信処理ができる。
（実施の形態２）
実施の形態２に係る携帯端末・WEBコンテンツ・リンク期限管理システム又は方法においては、エンコード画像として関連掲載情報として記載される文字と同程度の大きさの二次元コードを使用する。エンコード画像として識別データが一般の画像に人間の目では認識できない態様で埋め込まれたものを使用するのではなく、一般的な画像ではなく、規則性の感じられる特殊な模様によって識別データが埋め込まれた二次元コードを使用する点と、サービス提供部が識別データを埋め込む方法が一般の画像に人間の目では認識できない態様で埋め込むのではなく、識別データを人間の目で認識できてしまう態様で埋め込むという点が異なるのみで、他の点では、実施の形態１に係る携帯端末・WEBコンテンツ・リンク期限管理システム又は方法と同様である。
【００８４】
実施例によって説明する。
【００８５】
図１６は実施の形態２に係る携帯端末・WEBコンテンツ・リンク期限管理システム又は方法におけるセット画像である。エンコード画像１６０４は一般的な画像ではなく、よく視れば、特殊な規則性が感じられる模様であり、この中に識別データが埋め込まれている。また、図１６におけるセット画像では、１６０８、１６０５、１６０６及び１６０７は特定関連情報であり、１６０５は文字により構成される特定関連情報であり、エンコード画像１６０４は関連情報１６０５を構成する文字の大きさと同程度の大きさを有している。
（実施の形態２の効果）
実施の形態２に係る携帯端末・WEBコンテンツ・リンク期限管理システム又は方法においては、サービス提供部はその機能として識別データを一般の画像に人間の目では認識できない態様で埋め込むという機能を有する必要が無く、代わりに公知の二次元コードを作成する機能で足り、コスト的なメリットが得られる。
【００８６】
本実施の形態２にかかるセット画像は実施の形態１にかかるセット画像にくらべて人間の美感に訴える力は多少劣るものの、エンコード画像の大きさを関連情報を構成する文字の大きさと同程度の大きさにすることにより、エンコード画像の存在が文字列の中に溶け込み、人間の目に違和感を生じさせず、このような考慮のされていない二次元コードが使用された印刷物に比べて、人間の目により自然な美感を生じさせて、より大きな広告・宣伝機能が発揮される。本実施の形態２にかかるエンコード画像１６０４を使用したセット画像の一例を示す図である図１６のセット画像１６００と一般的なエンコード画像９０４を使用した図９のセット画像９００を見比べると、図１６のセット画像におけるエンコード画像１６０４はほとんどその存在を感じさせないのに比べて、図９のセット画像９００におけるエンコード画像９０４はその存在が強く認識され他の関連情報との間で違和感を生じさせている。
【図面の簡単な説明】
【００８７】
【図１】実施の形態１に係る携帯端末・WEBコンテンツ・リンク期限管理システムの概略を示すブロック図である。
【図２】セット画像供給部１０３からサービス提供部にログインして行う画像のエンコード処理とセット画像の印刷処理を示すフローチャートである。
【図３】サービス提供部１０２において、通常の画像に識別データを人間の目には認識できない態様で埋め込むというエンコード処理を示すフローチャートである。
【図４】画像供給部１０３からサービス提供部１０２にログインして、エンコード画像に特定URLを割り当てる処理を示すフローチャートである。
【図５】コンテンツ提供部１０１が、エンコード対象画像と、該画像によってリンクさせたいWEBコンテンツのURLと、リンクを許諾する許諾期間を定めて、それらを画像供給部１０３に対して送るという処理を示すフローチャートである。
【図６】サービス利用部１０４における処理を示すフローチャートである。
【図７】サービス利用部１０４の所謂一般利用者が特定携帯端末１１２を利用して、特定のWEBコンテンツへリンク処理に対応してサービス提供部１０２が行う処理を示すフローチャートである。
【図８】エンコード画像情報データベース３１２内に登録されたデータの例を示す表である。
【図９】地元の観光協会の担当者が地元のお寺について情報を提供するための広告記事に、このような従来の態様による二次元コード等を使用して作成したセット画像の一例を示す図である。
【図１０】請求項４に記載の発明に係るセット画像の一例を示す図である。
【図１１】実施の形態１に係るセット画像の一例を示す図である。
【図１２】携帯電話で二次元コードを撮像している様子を示す説明図である。
【図１３】携帯電話で、識別データが人間の目には認識できない態様で埋め込まれたエンコード画像を携帯電話で撮像している様子を示す説明図である。
【図１４】請求項６に記載の発明に係るセット画像の一例を示す図である。
【図１５】請求項２に記載の発明に係るセット画像の一例を示す図である。
【図１６】請求項３に記載の発明に係るセット画像の一例を示す図である。
【符号の説明】
【００８８】
１０１      コンテンツ提供部
１０２      サービス提供部
１０３      画像供給部
１０４      サービス利用部
１０６      コンテンツ提供WEBサーバ
１０８      WEBリンクサーバ
１０９      エンコードサーバ
１１０      WEBエンコード受付サーバ
１１１      エンコード画像情報データ・ベース
１１２      エンコード画像解読プログラム内臓携帯端末
１１３      印刷機
１１４      画像準備用端末
１１５      ＩＣカードリーダ
１１６      ＩＣカード
１１７      インターネット
１１８      セット画像掲載印刷物
１１９      一般表示端末
３１０      エンコード待ち画像
３１１      エンコード済画像
３１２      エンコード画像情報データ・ベース
５０１      WEBコンテンツ
５０２      URL
５０３      リンクを許諾する許諾期間
５０４      エンコード対象画像
【図１】
2007279935.tif 000003
【図２】
2007279935.tif 000004
【図３】
2007279935.tif 000005
【図４】
2007279935.tif 000006
【図５】
2007279935.tif 000007
【図６】
2007279935.tif 000008
【図７】
2007279935.tif 000009
【図８】
2007279935.tif 000010
【図９】
2007279935.tif 000011
【図１０】
2007279935.tif 000012
【図１１】
2007279935.tif 000013
【図１２】
2007279935.tif 000014
【図１３】
2007279935.tif 000015
【図１４】
2007279935.tif 000016
【図１５】
2007279935.tif 000017
【図１６】
2007279935.tif 000018